【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
第１のエンティティと第２のエンティティとの間の取引を認証手段により前記第２のエンティティのＰＯＳ端末において管理する方法であって、
第１の変化識別子を、少なくとも１つの通信リンクを介して、前記第１のエンティティに関連した口座情報保持体デバイスへ提供するステップと、
第２の変化識別子を、少なくとも１つの通信リンクを介して、前記ＰＯＳ端末へ提供するステップと、
暗号化された取引情報を、少なくとも１つの通信リンクを介して、前記口座情報保持体デバイスおよび前記ＰＯＳ端末の少なくとも一つから受け取るステップであって、暗号化された前記取引情報は、前記第１の変化識別子および前記第２の変化識別子の少なくとも一つを用いて暗号化される、ステップと、
暗号解除された取引情報を取得するために、前記第１の変化識別子および前記第２の変化識別子の少なくとも一つを用いて、前記暗号化された取引情報を暗号解除するステップと、
暗号解除された前記取引情報に基づいて支払い要求を生成するステップと、
前記支払い要求を、少なくとも１つの通信リンクを介して、支払い認証手段へ送信するステップと、
前記第１の変化識別子および前記第２の変化識別子を使用済としてマーク付けするステップと
を備える方法。
【請求項２】
請求項１に記載の方法であって、第１の変化識別子を、少なくとも１つの通信リンクを介して、前記第１のエンティティに関連した口座情報保持体デバイスへ提供する前記ステップが、番号および鍵を含む第１の変化識別子を、少なくとも１つの通信リンクを介して、前記第１のエンティティに関連した口座情報保持体デバイスへ提供するステップを含む、方法。
【請求項３】
請求項１に記載の方法であって、第２の変化識別子を、少なくとも１つの通信リンクを介して、前記第２のエンティティに関連したＰＯＳ端末へ提供する前記ステップが、番号および鍵を含む第２の変化識別子を、少なくとも１つの通信リンクを介して、前記第２のエンティティに関連付けられたＰＯＳ端末へ提供するステップを含む、方法。
【請求項４】
請求項１に記載の方法であって、暗号化された取引情報を、少なくとも１つの通信リンクを介して、前記口座情報保持体デバイスおよび前記ＰＯＳ端末の少なくとも一つから受け取る前記ステップが、暗号化された取引情報を、少なくとも１つの通信リンクを介して、前記口座情報保持体デバイスから受け取るステップを含み、前記暗号化された取引情報が、前記第１の変化識別子を用いて暗号化された第１のメッセージと、前記第２の変化識別子を用いて暗号化された第２のメッセージとを含む、方法。
【請求項５】
請求項１に記載の方法であって、暗号化された取引情報を、少なくとも１つの通信リンクを介して、前記口座情報保持体デバイスおよび前記ＰＯＳ端末の少なくとも一つから受け取る前記ステップが、暗号化された取引情報を、少なくとも１つの通信リンクを介して、前記ＰＯＳ端末から受け取るステップを含み、前記暗号化された取引情報が、前記第２の変化識別子を用いて暗号化された第１のメッセージと、前記第１の変化識別子を用いて暗号化された第２の部分とを含む、方法。
【請求項６】
請求項５に記載の方法であって、暗号解除された取引情報を取得するために、前記第１の変化識別子および前記第２の変化識別子の少なくとも一つを用いて、前記暗号化された取引情報を暗号解除する前記ステップが、前記第２の変化識別子を用いて前記第１のメッセージを暗号解除するステップと、前記第１の変化識別子を用いて前記第２のメッセージを暗号解除するステップとを含む、方法。
【請求項７】
請求項１に記載の方法であって、前記暗号解除された取引情報を検証するステップを更に備える方法。
【請求項８】
請求項７に記載の方法であって、前記暗号解除された取引情報に基づいて、支払い要求を生成する前記ステップが、前記暗号解除された取引情報の正当性が認められた場合に、前記暗号解除された取引情報に基づいて支払い要求を生成するステップを含む、方法。
【請求項９】
請求項８に記載の方法であって、前記暗号解除された取引情報の正当性が認められなかった場合、拒否メッセージを生成し、前記口座情報保持体および前記ＰＯＳ端末の少なくとも一つへ送信するステップを更に備える、方法。
【請求項１０】
請求項１に記載の方法であって、第３の変化識別子を、少なくとも１つの通信リンクを介して、前記支払い認証手段へ提供するステップを更に備える方法。
【請求項１１】
請求項１０に記載の方法であって、前記第３の変化識別子を用いて前記支払い要求を暗号化するステップを更に備える方法。
【請求項１２】
請求項１に記載の方法であって、支払い応答を、少なくとも１つの通信リンクを介して、前記支払い認証手段から受け取るステップを更に備え、前記支払い応答が、支払い承認メッセージおよび支払い拒否メッセージの少なくとも一つを含む、方法。
【請求項１３】
請求項１２に記載の方法であって、前記支払い応答が支払い承認メッセージを含む場合、承認メッセージを生成し、少なくとも１つの通信リンクを介して、前記口座情報保持体デバイスおよび前記ＰＯＳ端末の少なくとも一つへ送信するステップを更に備える方法。
【請求項１４】
請求項１２に記載の方法であって、前記支払い応答が支払い拒否メッセージを含む場合、拒否メッセージを生成し、少なくとも１つの通信リンクを介して、前記口座情報保持体デバイスおよび前記ＰＯＳ端末の少なくとも一つへ送信するステップを更に備える方法。
【請求項１５】
第１のエンティティと第２のエンティティの間の取引を、前記第２のエンティティに関連したＰＯＳ端末において管理するためのシステムであって、
前記第１のエンティティに関連した口座情報保持体デバイスへ第１の変化識別子を割り当て、前記ＰＯＳ端末へ第２の変化識別子を割り当て、支払い認証手段へ第３の変化識別子を割り当てるように構成される認証手段を備え、
前記口座情報保持体デバイスは、第１の暗号化された取引情報を生成するために、前記第１の変化識別子を用いて第１の取引情報を暗号化し、前記第１の暗号化された取引情報を、少なくとも１つの通信リンクを介して、前記認証手段へ送信するように構成され、
前記ＰＯＳ端末は、第２の暗号化された取引情報を生成するために、前記第２の変化識別子を用いて、第２の取引情報を暗号化し、前記第１の暗号化された取引情報を、少なくとも１つの通信リンクを介して、前記認証手段へ送信するように構成され、
前記認証手段は、前記第１の取引情報を取得するために前記第１の変化識別子を用いて前記第１の暗号化された取引情報を暗号解除し、前記第２の取引情報を取得するために前記第２の変化識別子を用いて前記第２の暗号化された取引情報を暗号解除し、前記第１の取引情報および前記第２の取引情報に基づいて支払い要求を生成し、暗号化された支払い要求を生成するために前記第３の変化識別子を用いて前記支払い要求を暗号化し、前記暗号化された支払い要求を少なくとも１つの通信リンクを介して前記支払い認証手段へ送信し、前記第１の変化識別子および前記第２の変化識別子を使用済としてマーク付けするように構成される、
システム。
【請求項１６】
第１のエンティティと第２のエンティティとの間の取引を前記第２のエンティティに関連したＰＯＳ端末において実行する際に使用される口座情報保持体デバイスであって、
第１の変化識別子を記憶するように構成されるメモリ・モジュールと、
暗号化された取引情報を少なくとも１つの通信リンクを介して前記ＰＯＳ端末へ送るように、および前記第１の変化識別子を少なくとも１つの通信リンクを介して認証手段から受け取るように構成される入力／出力モジュールと、
暗号化された取引情報を生成するために、前記第１の変化識別子を用いて前記取引情報を暗号化するように構成されるプロセッサと
を備える口座情報保持体デバイス。
【請求項１７】
第１のエンティティと第２のエンティティとの間の取引を実行する際に使用されるＰＯＳ端末であって、前記ＰＯＳ端末は前記第２のエンティティと関連しており、
第２の変化識別子を記憶するように構成されるメモリ・モジュールと、
暗号化された第１の取引情報を、少なくとも１つの通信リンクを介して、前記第１のエンティティに関連した口座情報保持体デバイスから受け取り、暗号化された前記第１の取引情報および暗号化された前記第２の取引情報を少なくとも１つの通信リンクを介して認証手段へ送り、前記第２の変化識別子を少なくとも１つの通信リンクを介して認証手段から受け取るように構成される入力／出力モジュールと、
第２の暗号化された取引情報を生成するために、前記第２の変化識別子を用いて取引情報を暗号化するように構成されるプロセッサと
を備えるＰＯＳ端末。
【請求項１８】
第１のエンティティと第２のエンティティとの間の取引を前記第２のエンティティに関連したＰＯＳ端末において管理するための認証手段であって、
前記第１のエンティティに関連した口座情報保持体デバイスへ割り当てられる第１の変化識別子を記憶し、前記ＰＯＳ端末へ割り当てられる第２の変化識別子を記憶し、支払い認証手段へ割り当てられる第３の変化識別子を記憶するように構成されるメモリ・モジュールと、
前記第１の変化識別子を少なくとも１つの通信リンクを介して前記口座情報保持体デバイスへ送信し、前記第２の変化識別子を少なくとも１つの通信リンクを介して前記ＰＯＳ端末へ送信し、前記第３の変化識別子を前記ＰＯＳ端末へ送信し、暗号化された第１の取引情報および暗号化された第２の取引情報を少なくとも１つの通信リンクを介して前記ＰＯＳ端末から受け取るように構成される入力／出力モジュールと、
前記第１の取引情報を取得するために、前記第１の変化識別子を用いて、暗号化された前記第１の取引情報を暗号解除し、前記第２の取引情報を取得するために、前記第２の変化識別子を用いて、暗号化された前記第２の取引情報を暗号解除し、前記第１の取引情報および前記第２の取引情報に基づいて支払い要求を生成し、暗号化された前記支払い要求を生成するために前記第３の変化識別子を用いて前記支払い要求を暗号化し、前記第１の変化識別子および前記第２の変化識別子を使用済としてマーク付けするように構成されるプロセッサと
を備え、
前記入力／出力モジュールは、前記暗号化された支払い要求を前記支払い認証手段へ送信するように構成される、
認証手段。